Podtech/llm-jp-corpus-v4-ja_patent huggingface dataset:
(57)【要約】【課題】  傍目に自然な素肌の延長のように見え、腕と身体の複雑な動きの中でも、特別な滑り止めや締め付けの細工をしなくてもズレ落ち動きがなく、暑い時でも装着したことによる追加的な暑苦しさが生じないような腕カバーを提供する。【手段】  丁度アンダーバストから上〜肩〜腕全体を覆うようなアンダーウェアーから、胸と背中の広い面をソックリ切り抜いて、裾部の輪状部分を介して左右一体的に形成し、腕袖部先端は手の甲まで覆い、親指と他の指全体が仕切られた口から突き出されることを特徴とするストッキングのような腕カバー。【選択図】図１
2014145147.tif 000002
【特許請求の範囲】
【請求項１】
紫外線カット性の糸を織り込んだ透明感ある肌色のストッキング様の生地を用いた腕カバーにおいて、アンダーバストから肩・腕全体を覆うところのかぶり作りのアンダーウェアーを想定した時、胸及び肩の肌との接触面を、裾縁を残して切り抜き、残った腕袖部から肩・脇側部の左右それぞれが、裾縁の芯糸で形成される連結裾止め編み部によって一体化されているという基本構造であるが、肩幅の距離をおいて向かい合う肩口面は、それぞれ左右の腕挿入口を形成し、腕袖部の先端には指通し仕切り部によって二つに仕切られた指通し口が設けられていることを特徴とするストッキングのような腕カバー。
【発明の詳細な説明】
【技術分野】
【０００１】  本発明は、ノースリーブを着用した時、気になる肌のシミやシワ・傷等を目立たぬように自然な感じで被覆し、また紫外線から肌を守るために、露出している時の腕全体をカバーするものに関する。
【背景技術】
【０００２】  ストッキング様の素材で腕に履かせるストッキングの様に使用する先行技術としては、手の甲から上腕まで覆うもの（特許文献１参照）や、同様のものにレースを付けてファッション性を持たせ、紫外線カットの糸を使用したものや、腕から肩・胸まで覆うもの（特許文献２参照）等が知られている。
【先行技術文献】
【０００３】
【特許文献１】  特許公開２００６−１４４２０５号  公報
【特許文献２】  登録実用新案第３０７８７８０号  公報
【発明の概要】
【発明が解決しようとする課題】
【０００４】  透明感ある肌色のストッキング素材で形成され、ＵＶカット機能を有する腕カバーは多々あるが、特許文献１に示される先行技術は、どうしても上腕部の方からずり落ちてくるので、かなりきつく締め付けるような手当てが必要となり、そうすると少し時間が経つと痛くなってしまう。特別の滑り止めを設ける方法も、素肌にとって違和感が生じるのは避けられない。
特許文献２に示される先行技術は、「手首から腕全体と肩からアンダーバストまでの一体化アンダーウェア」なので、ずり落ちの心配はないが、胸と背中まで覆われているので、身体の複雑な動きの中で、胸と背中の肌にフィットしている分だけ余計によじられたり引っ張られたりしてしまう。
【課題を解決するための手段】
【０００５】  紫外線カット性の糸を織り込んだ透明感ある肌色のストッキング様の生地を用いた腕カバーにおいて、アンダーバストから肩・腕全体を覆うところのかぶり作りのアンダーウェアーを想定した時、胸及び肩の肌との接触面を、裾縁を残して切り抜き、残った腕袖部から肩・脇側部の左右それぞれが、裾縁の芯糸で形成される連結裾止め編み部によって一体化されているという基本構造である。肩幅の距離をおいて向かい合う肩口面は、それぞれ左右の腕挿入口を形成し、腕袖部の先端には指通し仕切り部によって二つに仕切られた指通し口が設けられる。
以上を特徴とするストッキングのような腕カバーである。
【発明の効果】
【０００６】  謂わば腕にストッキングを履かせたようなものなので、傍目から見て、通常の服地で形成された腕カバーのような自己主張する違和感がなく、シミやシワも非常に自然に隠れる。左右が連結裾止め編み部で一体化してあるので、腕袖部のずれ落ち動きの心配がない。アンダーバストから上が一体化してあったとしても、胸と背中の面がソックリ切り抜いてあるので、腕挿入口が大きく自由に広がって腕が格段に挿入しやすく、また腕・身体の複雑な動きでも、よじられたり引っ張られたりする違和感がなく、暑い季節にもより涼しく快適に装着できる。腕から肩・脇側部が連続的な一体面を成しているので、ノースリーブで腕を上げた時にも、脇下が自然に隠れているので、気にせず自由な動作ができる。指通し口に親指と他の指との指通し仕切り部を設けてあるので、手の甲を覆う部分が身体側へ引っ張られて外れる心配もない。紫外線カットによる日焼け防止は言うまでもない。
【図面の簡単な説明】
【０００７】
【図１】  本発明の斜視図
【図２】  本発明の使用状態を示す正面図
【図３】  本発明の使用状態を示す背面図
【発明を実施するための形態】
【０００８】  以下、本発明の実施の形態を説明する。
紫外線カット性の糸を織り込んだ透明感ある肌色のストッキング様の生地を用いた腕カバーにおいて、アンダーバストから肩（７）・腕全体を覆うところのかぶり作りのアンダーウェアーを想定した時、胸（８）及び肩（７）の肌との接触面を、裾縁を残して切り抜き、残った腕袖部（１）から肩（７）・脇側部（６）の左右それぞれが、裾縁の芯糸で形成される連結裾止め編み部（２）によって一体化されているという基本構造である。肩幅の距離をおいて向かい合う肩口面は、それぞれ左右の腕挿入口（３）を形成し、腕袖部（１）の先端には指通し仕切り部（５）によって二つに仕切られた指通し口（４）が設けられる。
本発明は以上のような構成であり、これを実際に使用する時は、
素肌の状態で、左右の腕を左右それぞれの腕挿入口（３）から腕袖部（１）に通し、指通し口（４）の指通し仕切り部（５）に則って親指と他の指とを差し通し、輪状になった連結裾止め編み部（２）を下から頭にかぶるように装着する。胸（８）と背中（９）は素肌が露出しているが、腕袖部（１）から脇の下及び脇側部（６）にかけては一体的な連続面によって覆われているので、ノースリーブの衣服で腕を上げた場合でも、特別の気遣いをする必要はない。ブラジャーやノースリーブ等はその上から着衣することになるが、胸（８）と背中（９）の広い面を覆っているのは着衣だけなので、本発明を装着することによる追加的暑苦しさは生じない。紫外線カットによる日焼け防止は言うまでもない。
本発明を脱着する時は、輪状の連結裾止め編み部（２）を上に上げて頭を抜き外し、左右の腕袖部（１）から腕を抜き外せばよい。胸（８）と背中（９）に当たる面は大きく切り抜かれているので、上半身・頭は連結裾止め編み部（２）の輪をくぐるだけでよく、非常に楽に脱着できる。
【符号の説明】
【０００９】（１）腕袖部    （２）連結裾止め編み部    （３）腕挿入口    （４）指通し口
（５）指通し仕切り部    （６）脇側部    （７）肩    （８）胸    （９）背中
【図１】
2014145147.tif 000003
【図２】
2014145147.tif 000004
【図３】
2014145147.tif 000005
(57)【要約】【課題】本発明は、建築物の建築途上、建築後も免震効果の得られる手段を提供するものである。【解決手段】本発明は、基礎部上の建築物と基礎部下に設けられた水槽とからなる構造物であって、水槽は底面、側面を遮水層に覆われ、且つ水槽内部は互いに水の行き来が可能な仕切りで区画されおり、前記構造物の構築を以下の手順で実施する免震構造物の構築方法である。工程１前記水槽を構築、水を満たす。工程２水槽上に建築物を構築する。【選択図】図２
2014145213.tif 000002
【特許請求の範囲】
【請求項１】
基礎部上の建築物と基礎部下に設けられた水槽とからなる構造物であって、水槽は底面、側面を遮水層に覆われ、且つ水槽内部は互いに水の行き来が可能な仕切りで区画されおり、前記構造物の構築を以下の手順で実施する免震構造物の構築方法。
工程１前記水槽を構築、水を満たす。
工程２水槽上に建築物を構築する。
【請求項２】
建築物と建築物の基礎下に設けられた水槽からなる構造物にあって、水槽は底面及び側面を遮水層で覆われ、且つ水槽内部は互いに水の行き来が可能な仕切りで区画されおり、且つ常時水を満たした状態にある免震構造物。
【発明の詳細な説明】
【技術分野】
【０００１】
本発明は、構造物の免震技術に属する。
【背景技術】
【０００２】
構造物の基礎下に水の行き来が可能な仕切りで内部を区画された水槽を設け免震手段とする技術がある。特開2003-020696には建物下に設けた雨水貯留槽により免震効果が得られることが開示されている。特開2009-7926には地下水を貯めた水槽により免震効果を得る方法が開示されている。前者は雨水流出抑制を目的とするため、水槽内に水がある期間が限られており、常時免震効果を得られるとはいいがたい。後者は地下水位の上昇により水槽に水を導入するため、地下水位の低い場所では利用できず、地下水位の上昇により水を導入するため水槽内に必要な水が溜まるまで免震効果が得られない問題点があった。
上記問題点を解消し、構造物の建築途上にあっても、建築後も免震効果が得られる手段が求められている。
【先行技術文献】
【特許文献】
【０００３】
【特許文献１】特開2003-020696
【特許文献２】特開2009-7926
【発明の開示】
【発明が解決しようとする課題】
【０００４】
本発明は、建築物の建築途上、建築後も免震効果の得られる手段を提供するものである。
【課題を解決するための手段】
【０００５】
本第1の発明は、基礎部上の建築物と基礎部下に設けられた水槽とからなる構造物であって、水槽は底面、側面を遮水層に覆われ、且つ水槽内部は互いに水の行き来が可能な仕切りで区画されおり、前記構造物の構築を以下の手順で実施する免震構造物の構築方法であり、
工程１前記水槽を構築、水を満たす、
工程２水槽上に建築物を構築する、の手順で構築する。
本第２の発明は、建築物と建築物の基礎下に設けられた水槽からなる構造物にあって、水槽は底面及び側面を遮水層で覆われ、且つ水槽内部は互いに水の行き来が可能な仕切りで区画されおり、且つ常時水を満たした状態にある免震構造物である。
【発明の効果】
【０００６】
本発明は、水槽に必要量の水を導入した後、その水槽上に建築物を構築するため、建築の建築途上、建築後も水槽による免震効果が発揮される。
【図面の簡単な説明】
【０００７】
【図１】は、本発明の免震構造物における水槽の構築手順を示す概念図を示す。
【図２】は、本発明の構造物を示す概念図である。
【図３】は、水槽を区画するために使用されるブロックの例を示す。
【発明を実施するための形態】
【０００８】
以下、本発明を図により詳細に説明する。
図１は本発明の免震構造物における構築手段のうち建築物基礎下の設ける水槽の形成方法を示している。
１．地下を掘削し水槽用の凹部を形成し、凹部に水槽の底面・側面を遮水層とするため遮水シートを敷き設する。図１A
２．水を貯める貯留空間形成のため水の行き来を阻害せず水槽内部を区画するブロックを必要に応じ継手などを使用して充填・配置する。充填するブロックの例は図３に示す。一般的に雨水の流出抑制用の施設を構築するために使用される樹脂製ブロックで建築物の荷重を支えるに必要な強度を有するものが使用可能である。これらは、水の行き来を可能とする隙間がブロック及びブロックを充填配置して得られた貯留空間内に形成されるようになっている。図１B
３．水槽を埋め戻す。図１C
４．水槽の上部をシートで覆い、水槽内に必要な水を導入する。図１D
図２は、水槽上に基礎を形成し建築物を構成した状態を示している。
なお、図１及び図２に示す水槽に対する水の流入流出口は自明であり従来技術で対応可能なため示していない。
【０００９】
以下、本基礎下に水槽を設ける免震効果につき説明する。
１．地盤を水槽に置き換えたことによる、地震波の振動が伝わった場合の地盤と水槽間に振動の位相の差が生じる。
２．Ｓ波（横揺れ）は水や空気中では伝わらない。
以上の効果により基礎下に水槽を設けることで、地震の建物に与える影響は軽減される。
【００１０】
本発明の構築手順は、水槽を構築し、水槽内に水を導入し免震効果を得た後、水槽上に建築物を構築する。そのため、建築物の建築途上であっても免震効果が得られ被害を軽減することができる。当然、建築後においてもその効果は持続されることになる。
【００１１】
すなわち、上述した水槽に常時水を張った状態としておくことが構造物の免震に対して有効である。構築において可能な限り早期の段階で水槽に水を張っておくことが望ましい。
【産業上の利用可能性】
【００１２】
建築物を地震の被害から守るための免震装置として利用可能である。
【符号の説明】
【００１３】
１  水槽
２  ブロック
３  遮水シート
４  シート
５  基礎
６  建築物
【図１】
2014145213.tif 000003
【図２】
2014145213.tif 000004
【図３】
2014145213.tif 000005
(57)【要約】      （修正有）【課題】幅の狭い敷地に多くの自転車を駐輪させる装置を提供する。【解決手段】自転車を移動式のパレット３に収め、そのパレットがコンピューター自動制御装置付き電動モーター４を用いて垂直水平方向にスライド移動させることによって、幅の狭い敷地に多くの自転車を駐輪させることを可能にする。【選択図】図１
2014145242.tif 000002
【特許請求の範囲】
【請求項１】
格子状の構造体をした立体駐輪装置で、自転車を収納する移動式パレットがコンピューターの自動制御装置と連動したモーターで垂直方向と水平方向に移動し、あるいは奥行方向にも移動するので、多くの自転車の保管と出し入れが効率的かつスムーズにでき、狭い土地や複雑な形状の土地でもそれに合わせて垂直方向、水平方向、奥行方向にパレットの数を増やすことができるので、多くの自転車の立体駐輪が可能となる点に大きな特徴を持つ装置である。
【請求項２】
格子状の構造体をした立体駐輪装置内の自転車を収納するパレットは、格子内のパレットの無い空白空間を利用してスライディングブロックパズル（例：１５パズル、２５パズル）のように垂直方向、水平方向、奥行方向に移動するので、空白空間の数を増やすことで（駐輪自転車の収容台数は減る代わりに）パレットのスライド移動のルートと時間が短縮され、自転車の出し入れがよりスムーズになるなど、駐輪自転車の収容台数と移動のバランスを自由に調整できる点に大きな特徴を持つ装置である。
【発明の詳細な説明】
【技術分野】
【０００１】  本発明は、立体駐輪場で自転車を収納するパレットを垂直方向と水平方向にスライドさせる装置に関するものである。
【背景技術】
【０００２】  近年、特に都市部において、交通渋滞をさけるための手段として、また健康促進の手段として自転車で移動する者が増加している。【０００３】  しかし、十分な駐輪スペースや駐輪場が整備されていないため、違法な路上駐輪が増え、社会的問題となっている。【０００４】  ところが、特に都市部に置いては駐輪場を設ける十分な敷地がないのが現状である。
【先行技術文献】
【特許文献】
【０００５】
【特許文献１】  特開２００１−３５５３４６
【発明の概要】
【発明が解決しようとする課題】
【０００６】  解決しようとする問題は、都市部において必要十分な駐輪場の設置面積を確保することが難しいことから、駐輪場の設置が難しい点である。
【課題を解決するための手段】
【０００７】  本発明は、自転車を移動式のパレットに収め、そのパレットを自動制御で垂直、水平にスライド移動させることによって、幅の狭い敷地に多くの自転車を駐輪させることを可能にする点に大きな特徴を有する。
【発明の効果】
【０００８】  歩道などに放置される路駐自転車が減少し、自転車運転者や歩行者における交通事故の緩和につながるだけでなく、都市の美観を保つことにも貢献できる。
【図面の簡単な説明】
【０００９】
【図１】  縦横スライド移動型立体駐輪装置の説明図である（パレットの垂直と水平スライド移動）
【図２】  （ａ）縦横スライド移動型立体駐輪装置の説明図である（実施例  平面図）  （ｂ）縦横スライド移動型立体駐輪装置の説明図である（実施例  縦断面図）  （ｃ）縦横スライド移動型立体駐輪装置の説明図である（実施例  横断面図）
【発明を実施するための形態】
【００１０】  自転車本体の幅に合わせたパレットの寸法から駐輪場の構造体の寸法を考えると、１ｍ以上のスペースがあれば施工が可能となる。
【実施例】
【００１１】  図１は本発明による立体型駐輪場の縦横スライド移動型のパレットの動きを表したものである。自動制御装置付き電動モーターモーターによって、パレットが垂直水平に移動し、自転車の出し入れ、駐輪を可能とする。パレット可動が出来るように、最低限マスの１つ分はブランクにする必要がある。【００１２】  図２は、実際の立体駐輪装置設置した駐輪場を想定した一例で、その平面図と断面図である。ビルとビルとの隙間の敷地に８列、１２層の縦横スライド移動型立体駐輪場を設置し、９０台の自転車を駐輪させる。
【産業上の利用可能性】
【００１３】  都心には建物と建物との隙間に空き地が数多くあり、利用されていないのが現状である。これらの土地を有効に活用することが可能となる。
【符号の説明】
【００１４】１  隣地建築物
２  立体駐輪場躯体
３  可動型自転車収納パレット
４  コンピューター自動制御装置付き電動モーター
【図１】
2014145242.tif 000003
【図２】
2014145242.tif 000004
(57)【要約】【課題】鉛直管の外側の流体により、管内側上部より供給する蒸気を冷却させ凝結復水させる方式の復水管を用いた復水器において、管上部側で復水した流体が、管内壁に沿って流れ落ちることで下部に向かって徐々に液膜が厚くなり、それによって熱伝達率が低下することを抑える。【解決手段】管路の途中に突起を設けて、それによって管内壁を流れ落ちる液膜を剥がし、凝縮効率を低下を抑える。また、管自体は加工せず、管継ぎ手部分に内側に突起を設けた輪板を差し挟むことで、低コストで実現する。【選択図】図２
2014119118.tif 000002
【特許請求の範囲】
【請求項１】
鉛直管の外側の流体によって管内側上部より供給する蒸気を冷却させ凝結復水させる方式の復水管を用いた復水器であり、復水管内側に流れ落ちる凝縮液膜を剥離する突起を設けることで、凝縮効率を向上させることを特徴とする復水器。
【請求項２】
管継ぎ手部分に突起を設けた輪板を差し挟むことで、復水管内側に凝縮液膜を剥離する突起を設けることを特徴とする請求項１記載の復水器。
【請求項３】
三角錐を基本とする形状の立体の一面を円管の内側に沿うように、円周上に多数設けて、凝縮液膜を剥離する突起とした請求項１記載の復水器。
【発明の詳細な説明】
【技術分野】
【０００１】
熱発電システムで使用する復水器についての発明である。
【背景技術】
【０００２】
蒸気によりタービンを回転させ発電する熱発電システムにおいて、復水器は発電の効率を上げる為に重要な役割を果たす。
復水器の種類としては表面復水器と、直接接触復水器がある。表面復水器としては火力発電所や原子力発電所において、冷却水を水平円管に通し管外面の膜状凝縮を利用したものが使用されている。直接接触復水器としては地熱発電所において、冷却水の直接散布によって直接蒸気を凝縮させる方式のものが使用されている。どちらにおいても効率良く蒸気を凝結させて発電効率を上げる為に様々な工夫がされている。
【発明の概要】
【発明が解決しようとする課題】
【０００３】
鉛直管の外側の流体により、管内側上部より供給する蒸気を冷却させ凝結復水させる方式の復水管を用いた復水器の場合、管上部側で復水した流体が、管内壁に沿って流れ落ちることで下部に向かって徐々に液膜が厚くなり、それによって凝縮効率が落ちることになる。
【課題を解決するための手段】
【０００４】
管路の途中に突起を設けて、それによって管内壁を流れ落ちる液膜を剥がし、熱伝達率を低下を抑える。また、管自体は加工せず、管継ぎ手部分に内側に突起を設けた輪板を差し挟むことで、低コストで実現する。
【図面の簡単な説明】
【０００５】
【図１】鉛直復水管の継手部分に凝縮液膜剥離板を差し挟んだ状態を示す断面図
【図２】凝縮液膜剥離板突起の基本形状
【図３】凝縮液膜剥離板突起周辺の蒸気および液膜の流れ
【発明を実施するための形態】
【０００６】
図１に鉛直復水管１１の鋼管継手部分１２に凝縮液膜剥離板１３を差し挟んだ状態を示す断面図を示す。凝縮液膜剥離板１３は鋼管継手部分１２に挟んでボルト１４で固定する。このような形で鋼管を連結して必要な長さの復水管を構成する。
【０００７】
図２に凝縮液膜剥離板の突起部分の拡大図を示す。突起部分は三角錐を基本とする形状であり、その一面を円管の内側に沿うように貼り付けた形で、円周上に隙間なく並べるものである。
【０００８】
図３に凝縮液膜剥離板の突起部分によって影響を受ける蒸気流１５と凝縮復水流１６の流れを示す。円管壁面に沿って流れ落ちる凝縮液膜（凝縮復水）の流れは、突起部分にあたるとその頂点から2方向に斜め内側に向かって分割される。分割された流れは、同様に隣の突起で分割された流れとぶつかり、合わせて円管中心軸の方向に向かう。中心軸方向に向かった水流は、その周辺を流れる蒸気流１５と重力加速度によって下方向に加速される。円管に傾きが無く完全に鉛直に立っている場合、円管内の内部空間を内壁にほとんど触れることなく落下する。傾きがある場合も一定距離を内壁に触れることなく落下することによって壁面の凝縮効率の低下を最小限に留める。
【０００９】
突起によって2方向に斜め内側に向かって液流を導くのは、一様に中心軸に向かって液流を押し出した場合、液流全体が円管中心を流れる蒸気流に押されて、直ぐに壁面に押し付けられてしまう為である。液流の無いまたは弱い部分をつくることによって、その部分から蒸気流が管壁側に回り込むことができる。
【００１０】
また、円管内中心方向に飛び出した液流は、壁面を流れ落ちたことによって一定程度過冷却されたものになる。それに対して蒸気流１５がぶつかることによって、蒸気流１５自体の凝縮が促進される。つまり、直接接触式の復水器で行われているのと同様の効果を得る。
【産業上の利用可能性】
【００１１】
将来的に海底熱水等を熱源として使用する海洋地帯における熱発電システムが必要とされる可能性がある。
海洋における熱発電システムにおいて、復水を海中深く戻すか、または廃棄しても良い場合、復水器の為のスペースを海底深くまで縦に伸ばすことが可能である。また、深度が深くなるほど海水温度が下がる為、復水効率が上げるのに有利である。本発明は、鉛直下に伸ばす形で設置する復水器の効率を、低コストで上げるのに有効であると考える。
【符号の説明】
【００１２】
１１  鉛直復水管
１２  鋼管継手部分
１３  凝縮液膜剥離板
１４  ボルト
１５  蒸気流
１６  凝縮復水流
【図１】
2014119118.tif 000003
【図２】
2014119118.tif 000004
【図３】
2014119118.tif 000005
(57)【要約】      （修正有）【課題】家庭用冷蔵庫のトラブルとして、詰め過ぎに因る冷風口の塞がりがあり、具体的にはムラが夛い収納態様によるものであった。上記状況を改善すべく、ムラを有効利用する柵間用アタッチメントを提供する。【解決手段】所定の柵間を仮二段化し、正立と倒立の両用が可能で、同時に高さが変えられる柵間用アタッチメントにより、適宜、中に取り込みを分納する等で、ムラを活かした、適正な空間を保ち、トラブル要因を防ぐ収納態様にする。【選択図】図３
2014119247.tif 000002
【特許請求の範囲】
【請求項１】
冷蔵庫用補助柵に於いて、柵間の左右にＨ字状の脚板を配設し、正立一倒立の両用に形成すると共に、柵間の高さが変わる付設仕様であることを特徴とする、冷蔵庫用補助柵。
【請求項２】
上記第１項の冷蔵庫用補助柵に於いて、柵板が、両側部にＵ字状の指穴つきであることを特徴とする、冷蔵庫用補助柵。
【発明の詳細な説明】
【技術分野】
【０００１】  本発明は、家庭用冷蔵庫のアタッチメントとする補助柵に関するものである。
【背景技術】
【０００２】  一般に家庭準用の冷蔵庫は、フリー柵、その他の仕様で収納態様が自在にとれるが、トラブルと云えば、詰め過ぎによる冷風に圧迫の失態がよくあった。
【先行技術文献】
【０００３】
【特許文献１】特許公開２００３−５００８３号公報
【特許文献２】特許公開２００３−２８７３６７号公報
【発明の概要】
【発明が解決しようとする課題】
【０００４】  上記のトラブルに関しては、とりわけムラを伴なう皿もの等、器物ごとの収納が夛い夏場の特色でもあって、庫内の態様から欲せられるのはムラを有効利用する柵間用アタッチメントである。
【課題を解決する為の手段】
【０００５】  之によって本発明は、ムラ対策として柵間の適所に挿入し、仮二段化するように設けた補助柵を当該のアタッチメントとする。
【発明の効果】
【０００６】（１）収納態様にムラが活かされ、適正な空間を保つと共にトラブル要因が防げる。
（２）固定手段をとらないので、移動−反転などが自在で、また、収納体が手軽るに扱える。
（３）組立てキットで景品などに利用がなり、極く安価に提供することができる。
【図面の簡単な説明】
【０００７】
【図１】本発明の正面図。
【図２】  同    平面図。
【図３】実施例の側面図。
【発明を実施する為の形態】
【０００８】  柵板（３）は、両側部にＵ字状の指穴（３ａ）（３ｂ）を備え、左右にＨ字状の脚板（１）（２）を配設して正立と倒立の両用とし、同時に高さが変わる付設仕様に設けられる。
【符号の説明】
【０００９】（１）（２）      脚板。
（３）            柵板。
（３ａ）（３ｂ）  指穴。
（４）（５）      食器。
【図１】
2014119247.tif 000003
【図２】
2014119247.tif 000004
【図３】
2014119247.tif 000005
【手続補正書】
【提出日】平成25年6月17日(2013.6.17)
【手続補正１】
【補正対象書類名】特許請求の範囲
【補正対象項目名】請求項１
【補正方法】変更
【補正の内容】
【請求項１】
冷蔵庫用補助柵に於いて、柵板の左右にＨ字状の脚板を配設し、正立−倒立の両用に構成すると共に、柵板の高さが変わる付設仕様であることを特徴とする、冷蔵庫用補助柵。
(57)【要約】【課題】化学学習者にまたは技術者に哲学化学者にアイデアを模索するカードゲーム【解決手段】        ベンゼンでいうとＣ６炭素安定、にＨ−不安定材水素６が＋と−でベンゼンを作り出す過程において加点ゲームカードと亀の子結合手形を作るパズルのようなカードゲーム配置に誤りがあったら減点正しくあれば通常化点、π結合と宣言すれば加点などの特徴がある【選択図】図１
2014119743.tif 000002
【特許請求の範囲】
【請求項１】
有機化合物複雑な化合物形態イオン＋と−ラジカル、○○基など、亀の子結合手で表されるもの及び複数化合分子を１枚のカードで複数くっつけて有機化合部室のカードの得点を特徴とする有機化合カードゲーム
【請求項２】
１元素ではなくすでに複数の元素が結合手または亀の子のかたちをとっている。
１でもイオンやラジカルといった特徴かたちをとるカードゲーム
【請求項３】
反応名称でも得点が得られる特徴を持つカードゲーム
【請求項４】
有機化合物について特化した特徴をもつカードゲーム
【請求項５】
原子、元素の電子配列によるベクトル亀の子結合手も特化した特長を持つカードゲーム
【請求項６】
ＤＮＡ螺旋構造をもある程度表せる特化をもった特長を持つカードゲーム
超分子なども、特化して表せる特長をももつカードゲーム。
【発明の詳細な説明】
【０００１】この発明は化学および結合方法を特に亀の子及び結合手形状として表しカードで遊び学ぶことができる。
【０００２】従来から、化学カードゲームは元素のみで結合の知るべき点が、あらわされていないものを用いている、もっと高度な結合手を使い複雑な構造の有機化学化合物を表すことができ、カードを用いてあそびながら学びや発想を目的とした開発などに役立てられる
【発明概要】
【発明が解決しようとする課題】
【０００３】本発明者は高度な有機化合物の、特徴を捉えさらに亀の子及び結合手に着目し従来より高度な化学学習者及び技術者または博士といった人たちの発想に役立てたり、無論有機化学の好きな人に、カードゲームとしてカードを製造、及び提供、販売を目的とする
【０００４】    本発明は、亀の子および結合手に着目しさらに高度な有機化合物をゲーム性で高められることや技術者の発想の提供ができることが、目的とする。
【課題を解決するための手段】
【０００５】このような目的を達成する本発明の有機化学フィロソフィストでは、すでにイオン及び○○基で表されるような形をとっていたり＋−であらわされたり、亀の子、結合手ですでに表されて、構成されているものも含まれる。また英語、ギリシャ及びラテン語読みの形をとるものも含まれるものである。
【０００６】また、カードゲームであるためイオン、○○基  ＋または−亀の子結合手で複雑なものほどまたは安定、不安定によって点数を競い合う
【発明の効果】
【０００７】このような有機化合物カードおよびその結合カードの実施を一形態について、図面を参照して説明する。
【図面の簡単な説明】
【０００８】
【図１】亀の子または結合手を表した特長とする。
【図１】
2014119743.tif 000003
(57)【要約】      （修正有）【課題】聞きとれなかった小さな音をおおきくするために耳に簡単に取付けることができる音拡張システムを提供する。【解決手段】反射板１に音があたり、耳の穴の方へ音があつまり音が大きくなるように、ゴム等２の蘇生のあるものを使用して固定するので、誰の耳にも取り付けることができる。【選択図】図１
2014119745.tif 000002
【特許請求の範囲】
【請求項１】
反射板（１）を耳に取りつけ、張力のある口、鼻等にかけるマスクの様に肌にやさしいゴム等をつけ固定することのできる耳の外側につける音拡張システムである。
又、耳の穴以外のものとする。
【発明の詳細な説明】
【技術分野】
【０００１】この発明は、これを簡単に耳につけることができ、小さな音など聞きとりやすくしたものである。
【背景技術】
【０００２】従来の補聴器は、電池交換などが必要であった。
【先行技術文献】
【特許文献】
【０００３】
【特許文献１】
【発明の概要】
【発明が解決しようとする課題】
【０００４】これは、次のような欠点があった。
従来の補聴器は、少少値段が高く維持費が必要であり、特に必要な人達は高齢者におおく年金生活者などは出費が大変であった。
本発明は、以上のような欠点をなくすためになされたものである。
【課題を解決するための手段】
【０００５】（１）の反射板を前にむけ（２）のゴム等を耳のうしろにかけるだけでよい。
本発明は、以上の構造よりなる音拡張システムである。
【発明の効果】
【０００６】反射板に音があたり耳に接触しているので、大きな耳と同じになる。
又、維持費が不用で家計の負担にほとんどならない。
【図面の簡単な説明】
【０００７】
【図１】本発明の正面図である。
【図２】本発明の右側面図である。
【発明を実施するための形態】
【０００８】以下、本発明を実施するための形態について説明する。
反射板（１）がおちないように、張力のある外側が布なのでおおわれているゴム等を使用して固定する。
必要のないときは、とりはずせばよい。
【符号の説明】
【０００９】１  反射板
２  ゴム等の張力のあるもの、又は蘇生のあるものとする。
【図１】
2014119745.tif 000003
【図２】
2014119745.tif 000004
(57)【要約】      （修正有）【課題】外部から電磁石のコアに入射する磁束の変化を、コイルにより起電力として発生させ、その出力を取り出す際の負荷電流によって発生する磁束の漏出を抑制する磁束変動検出専用電磁石を提供する。【解決手段】磁束変動検出用コイル１を通る導磁性コア４を環状に構成する事で、コイルに負荷電流が流れた際に発生する磁束５をコア内に閉じこめる機能を有する。この電磁石に、コアの内部と外部の両方を通って磁束のループが完成する様な磁束を入射させると、コアに入射した磁束は、磁束２および磁束３の様に、コアに沿って分岐し、内一方が磁束２の様にコイルに入射して、起電力を発生させる。【選択図】図２
2014119444.tif 000002
【特許請求の範囲】
【請求項１】
入射した磁束の変動を検出して電気信号に変換するコイルを持ち、コイルの内部と外部両方を通過する環状に構成された導磁性のコアを持つ変動磁束検出用の電磁石。
【請求項２】
請求項１に記載された電磁石に対し、電磁石の持つコアの内部と外部の両方を通って磁束のループが完成する様な磁束の入射方法。
【請求項３】
請求項１、請求項２に記載された電磁石を備える事を特徴とする電気装置。
【発明の詳細な説明】
【技術分野】
【０００１】  本発明は、電磁石に電流が流れた際に外部に漏出する磁束を抑制させる処置を施し、磁束の変動検出のみに機能を限定する方法に関するものである。
【背景技術】
【０００２】  従来の電磁石では、電磁石のコイルを貫通した磁束の変化により起電力を発生するという機能を有している。このため電磁石は従来から、磁気センサの様に磁束の変化により電圧を発生させる素子として使われている。
【発明の開示】
【発明が解決しようとする課題】
【０００３】  従来の電磁石は、図１の様に外部からコア４に入射した磁束２の変化により起電力を発生する機能と同時に、コイルに電流を流すと磁束５を発生する機能も合わせ持っている。【０００４】  このため、変動磁束検出用に図１の電磁石を使用した場合、電磁石のコイル１から出力を取り出す際の電流によって発生する磁束５が外部に漏出し、電磁石付近への磁気的干渉が発生してしまうという問題があった。【０００５】  上記の問題を解決するには、電磁石に対してコイルに入射した磁束の変化により起電力を発生する機能を持たせながら、出力を取り出した際の負荷電流によって発生する磁束の漏出を抑制する機能を持たせる必要があった。
【課題を解決するための手段】
【０００６】  本発明では、図２の様に磁束変動検出用コイル１を通る導磁性コア４を環状に構成する事で、コイル１に負荷電流が流れた際に発生する磁束５をコア４内に閉じこめる機能を有する。この電磁石に、コア４の内部と外部の両方を通って磁束のループが完成する様な磁束を入射させると、コア４に入射した磁束は、磁束２および磁束３の様に、コア４に沿って分岐し、内一方が磁束２の様にコイル１に入射して、起電力を発生させる。
【発明を実施するための最良の形態】
【０００７】  本発明では、図２の様に磁束変動検出用コイル１を通る導磁性コア４を環状にした電磁石を構成し、この電磁石に対して、コア４の内部と外部を通って磁束のループが完成する様な磁束を入射させる形態が基本となる。
ただし、実際に図２の電磁石を構成した場合、外部から入力する磁束が分岐してしまう為、コイル１に入射する磁束が従来の電磁石より少なくなってしまう。その影響を減少させるために、図３の様にコイル１を通らない磁束３が通る経路の一部に微小な空隙６を設け、透磁率の低い物質で満たして磁束３の通るルートの磁気抵抗を上げる事が可能である。ただし、空隙６は漏れ磁束が拡散しない様十分に小さく、他の物体への磁気的影響が無視できる程に小さい事が条件となる。【０００８】  本発明で提示する電磁石の構造は、変圧器やインダクタに同様の構造を持つものが既に存在する。しかし、変圧器やインダクタはいずれも、発生させる磁束を環状に形成されたコア内に収めてはいるが、コア内部と外部の両方を通って磁束のループが完成する様な磁束を入射させる様な使用方法をしていない点が異なっている。
【発明の効果】
【０００９】  本発明により、従来の電磁石では実現されていなかった、外部から入射した磁束の変化によって起電力を発生する機能を残しながら、出力電流を流した際の電磁石から外部への磁気的影響を抑制させる機能の追加が実現可能になる。また、電磁石の構造だけなら既存の部品と同様であり、なおかつ構造が単純なので製造が容易である。
【図面の簡単な説明】
【００１０】
【図１】従来の電磁石の構成例を示す線図である
【図２】本発明による電磁石の一実施例を示す線図である
【図３】図２の電磁石に空隙を追加した場合の例を示す線図である。
【図４】本発明による電磁石の一実施例を示す線図である
【図５】本発明による電磁石の一実施例を示す線図である
【符号の説明】
【００１１】１      電磁石のコイル
２、３  電磁石に入射した磁束
４      コア
５      コイル１で電流が流れた結果、発生した磁束
６      コア４上に設置した空隙
【図１】
2014119444.tif 000003
【図２】
2014119444.tif 000004
【図３】
2014119444.tif 000005
【図４】
2014119444.tif 000006
【図５】
2014119444.tif 000007
(57)【要約】【課題】従来の保存箱の管理に用いるシステムは書類及び文書に限定されており、様々な保存箱の中身、例えば書類保存箱や企業用及び家庭用備蓄品など異なる種類の保存箱を管理できる形式になっておらず管理がおこないにくかった。【解決手段】箱の中身を管理できる保存箱管理ラベルを貼付したこと特徴とする保存箱である。保存箱の中身を管理する保存箱管理装置と、保存箱管理ラベルを出力する保存箱管理ラベル出力機とからなり、保存箱管理ラベルを出力することを特徴とする保存箱管理システムである。【選択図】図１
2014055011.tif 000002
【特許請求の範囲】
【請求項１】
箱の中身を管理できる保存箱管理ラベルを貼付したこと特徴とする保存箱。
【請求項２】
保存箱の中身を管理する保存箱管理装置と、保存箱管理ラベルを出力する保存箱管理ラベル出力機とからなり、請求項１記載の保存箱管理ラベルを出力することを特徴とする保存箱管理システム。
【発明の詳細な説明】
【技術分野】
【０００１】
本発明は、様々な種類の保存箱及び保存箱管理システムに関する。
【背景技術】
【０００２】
従来の保存箱の管理は箱に直接手書きなどで記入されており内容と管理台帳の一致が困難であった。又一部の保存箱管理システムにおいても書類及び文書などに限定されており様々な保存箱の中身を管理することが出来なかった。
【先行技術文献】
【特許文献】
【０００３】
【特許文献１】特開2011-65640号公報
【発明の概要】
【発明が解決しようとする課題】
【０００４】
従来の技術によれば、どのような種類の保存箱にも対応可能なものではなく、書類など限定したもののみの管理を行っていた。そこで、本発明は例えば帳票保存箱や備蓄品保存箱など様々な保存箱の中身の容易な管理を提供することを目的とする。
【課題を解決するための手段】
【０００５】
箱の中身を管理できる保存箱管理ラベルを貼付することを特徴とする保存箱。
【０００６】
保存箱の中身を管理する保存箱管理装置と、保存箱管理ラベルを出力する保存箱管理ラベル出力機とからなり、保存箱管理ラベルを出力することを特徴とする保存箱管理システム。
【発明の効果】
【０００７】
本発明によれば、ユーザーが自由にかつ柔軟に保存箱の中身を設定でき、統一的かつ自動的にラベルを印刷することによって管理することが出来る。
【図面の簡単な説明】
【０００８】
【図１】本発明の保存箱管理システムの構成を示すものである。
【図２】本発明で保存箱に貼付する保存箱管理ラベル例を示すものである。
【発明を実施するための形態】
【０００９】
図１は本発明の保存箱管理システム１の全体構成であり、保存箱２と保存箱管理装置４と保存箱管理ラベル出力機５から構成されている。備蓄品の保存箱２には、保存箱管理ラベル３が貼られている。
【００１０】
図２は保存箱管理システム１により印刷された複数の備蓄品の保存箱２に貼付可能な保存箱管理ラベルの印刷例であり、保存箱２の上面及び側面に貼付するものである。本保存箱管理システムでは、管理対象となる保存箱２が例えば帳票の保存箱の場合は、法定保存年数、廃棄予定年月日、廃棄実施年月日等を管理することができる。又管理対象となる保存箱が例えば備蓄品の保存箱の場合は備蓄品購入年月日及び備蓄品保存期限等を管理することができる。又会社で保存する保存箱の場合は会社別かつ部門別にラベルの色を分けて印刷することが可能であり、視覚的に管理することも可能となっている。これにより例えばグループ会社間や部門間において同一場所での保存を実施している場合においても保存箱がどの会社のどの部署に所属しているかを視覚的に管理することができ、かつ管理システムで容易に保存箱の内容及び保存期限及び保存棚番号等の検索及び表示が可能となっている。又ラベルは保存箱に容易に貼付できるように保存箱の印刷面は保存箱管理ラベルと同じサイズになっており、かつ保存箱管理ラベルを箱の印刷面から重ねて貼付しても下地が裏写りしないような特殊なラベルを使用している。又、ラベルは使用環境に合わせて種類を追加変更する事が出来るのでより視覚的な管理が可能となっている。更に保存箱管理システムから直接インターネット接続をすることにより保存箱の注文が可能となっている。
【００１１】
この実施形態によれば、保存箱を開梱することなく保存箱管理システムにて中身を容易に把握できる。又ラベル印刷とシステムが連動しておりユニークな連番が自動発番されることにより保存箱及び保存箱の中身を統一的に管理することができる。
【符号の説明】
【００１２】
１  保存箱管理システム            
２  保存箱
３  保存箱管理ラベル      
４  保存箱管理装置
５  保存箱管理ラベル出力機
【図１】
2014055011.tif 000003
【図２】
2014055011.tif 000004
(57)【要約】【課題】  システアミン又はその塩を含む毛髪処理剤の特異臭を消臭した毛髪処理剤の提供。【解決手段】  システアミン又はその塩を主原料にした毛髪処理剤であって、システアミン又はその塩１００重量％に対し、エタノールを１．０重量％以上５０．０重量％以下、キレート剤５．０重量％以上５０．０重量％以下の範囲に含有し、システアミンの特異臭を消臭したことを特徴とした毛髪処理剤の提供。【特許請求の範囲】
【請求項１】
主原料がシステアミン又はその塩を含む毛髪処理剤であって、キレート剤と、エタノールを含有し、システアミンの特異臭を消臭したことを特徴とする毛髪処理剤。
【請求項２】
システアミン又はその塩１００重量％に対し、エタノールを１．０重量％以上５０．０重量％以下、キレート剤５．０重量％以上５０．０重量％以下の範囲に有り、システアミンの特異臭を消臭したことを特徴とした毛髪処理剤。
【発明の詳細な説明】
【発明が属する技術分野】
【０００１】  本発明は、システアミン含む毛髪処理剤の不快な反応臭を消臭した毛髪処理剤の組成に関する。
【背景技術】
【０００２】  システアミン含む毛髪処理剤は、主に毛髪の変形を目的として、酸性領域でも効果が得られるため、損傷毛に最適とされている毛髪処理剤である。【０００３】  しかしシステアミンは毛髪に作用したとき、不快な特異臭を発生させるため、特異臭を消臭した毛髪処理剤の開発が望まれていた。【０００４】  この不快な特異臭を抑制するため、後処理剤が提供されている。シクロデキストリンを含み、分子内部に疎水性の空間に水に不溶の物質を取り込む性質を利用した消臭剤組成物（特許文献１参照）または変性シリコーンを含有し、毛髪を覆う性質を利用した消臭剤組成物（特許文献２参照）が提供されている。しかし後処理剤においては、洗い流すと効果が減少し、不快な特異臭が発生するため、改善する必要があった。
【特許文献１】特開２００１−１２３１９４
【特許文献２】特開２００６−１１７６２２
【０００５】  また、同様に過酸化水素を含む酸化剤で処理する方法も提示されている（特許文献３参照）が、現薬事法ではチオグリコール酸及びその塩、システイン及びその塩又は誘導体を主体とするパーマネントウェーブ用剤、すなわち医薬部外品に限り使用でき、システアミン及びその塩を含む毛髪処理剤のいわゆる化粧品には使用できず、実用的でない。
【特許文献３】特開２００４−１５５７４８
【発明が解決しようとする課題】
【０００６】  本発明は上記事情に鑑みてなされたもので、その目的は、現薬事法のシステアミン及びその塩を含む毛髪処理剤のいわゆる化粧品に使用が許可されている臭素酸を含む酸化剤を使用して、顕著な成果を発揮し、ウェーブ、ストレート等の毛髪処理効果、毛髪の仕上がり感触等の毛髪処理剤の基本的機能が損なわれることなく、システアミンの不快な特異臭を消臭し優れた毛髪処理剤を提供することにある。
【課題を解決するための手段】
【０００７】  前記課題を解決するために研究を行った結果、システアミン又はその塩を含む毛髪処理剤中に、特定量のキレート剤と共に、エタノールを配合することにより前記課題が解決されることを見出し、本発明を完成するに至った。
【０００８】  キレート剤は、金属イオンを不活性する性質を持ち、成分と結合して水に溶けにくくするほか、酸化しやすくさせる。
【０００９】  キレート剤は、エデト酸、ペンテト酸、ヒドロキシエチルエチレンジアミン三酢酸、エチドロン酸、クエン酸、フィチン酸、リン酸、リン酸アンモニウム、リンゴ酸、グルコン酸、カルボン酸などが挙げられ、これらを１種または２種以上を選んで用いることができる。
【発明の効果】
【００１０】  この発明により、システアミン又はその塩を含む毛髪処理剤の不快な特異臭を消臭し、かつ毛髪の仕上がり感触等が損なわれることなく優れたものであった。
【発明を実施するための最良の形態】
【００１１】  以下、この発明を実施するための最良の形態について説明する。【００１２】  毛髪処理剤を構成するシステアミン又はその塩は、配合重量％に比例し毛髪に対する作用が強く不快臭も強くなる。【００１３】  実施例においては以下のものを使用した。尚、配合量は重量％とする。【００１４】  この実施形態にかかる毛髪処理剤は、システアミン又はその塩と共に毛髪処理剤を構成する添加材料として、Ｌ−システイン又はその塩をＤＬ−システイン０．５重量％以上５０．０重量％以下の範囲で、ＤＬ−リンゴ酸を０．０１重量％以上５．０重量％以下、エタノールを０．１重量％以上５．０重量％以下の範囲で含有されるものである。【００１５】  かかる毛髪処理剤の典型的な構成例（配合例）の一つを表１に示す。
【表１】
2014055125.tif 000002
【００１６】  実施例におけるシステアミン塩酸塩の配合量が多いほど、毛髪処理剤の本発明の効果を顕著に評価できる。
【実施例】
【００１７】  ヘアカラー処理のされているモニターを選択し、頭髪にロッドを巻き、上記（表１）配合例−１の毛髪処理剤を塗布後、８分から１０分放置し、水ですすぎ流した後、酸化剤の臭素酸ナトリウムを塗布し１０分放置、すすぎ流した後及び翌日のシャンプー後、官能テストにより臭気を評価した。官能テストにおける評価基準は以下のとおりである。【００１８】（臭気の評価基準）
◎…当日及び翌日のシャンプー後も特異臭を消臭できている。
○…当日は特異臭をやや消臭できて、翌日のシャンプー後は特異臭を消臭できている。
△…当日及び翌日のシャンプー後も特異臭をやや消臭できている。
×…特異臭をほとんど消臭できていない。【００１７】モニター（Ａ）女性  ３９才  ◎
モニター（Ｂ）女性  ６３才  ◎
モニター（Ｃ）女性  ６８才  ◎
モニター（Ｄ）男性  ４６才  ◎
モニター（Ｅ）女性  ４１才  ◎
モニター（Ｆ）女性  ７５才  ◎
モニター（Ｇ）女性  ２９才  ◎
モニター（Ｈ）女性  ６１才  ◎
モニター（Ｋ）女性  ２８才  ◎
モニター（Ｌ）女性  ３９才  ◎
(57)【要約】【課題】  本発明は、発泡したスラグを生成するための方法を提供する。【解決手段】  本発明は、電気アーク炉内でオーステナイト系ステンレス溶湯上に発泡したスラグを生成するための方法であって、金属酸化物と炭素との混合物が電気アーク炉に導入され、スラグの下方で、金属と前記スラグとの間の界面の位置において、金属酸化物が炭素によって還元され、発生したガスの泡形成によってスラグ発泡を生じさせる方法である。本発明では、ブリケットまたはペレット等の成形品の態様で添加される導入すべき混合物は、ニッケル酸化物に加えて、鉄酸化物、鉄担体、炭素、及び所要の結合剤を含有している。【選択図】なし【特許請求の範囲】
【請求項１】
電気アーク炉内でオーステナイト系ステンレス溶湯上に発泡したスラグを生成するため
の方法であって、金属酸化物と炭素との混合物が前記電気アーク炉に導入され、前記スラ
グの下方で、前記金属酸化物と前記スラグとの間の界面の位置において、前記金属酸化物
が前記炭素によって還元され、発生したガスの泡形成によってスラグ発泡を生じさせる方
法において、
ブリケットまたはペレット等の成形品の態様で添加される導入すべき前記混合物が、ニ
ッケル酸化物に加えて、鉄酸化物、鉄担体、炭素、及び所要の結合剤を含有していること
を特徴とする方法。
【請求項２】
前記成形品の密度と溶解時間は、大きさおよび時間に関して最適な泡形成が達成される
ように選択されていることを特徴とする請求項１に記載の方法。
【請求項３】
前記密度が、約６．７ｔ／ｍ３であることを特徴とする請求項２に記載の方法。
【発明の詳細な説明】
【技術分野】
【０００１】
本発明は、電気アーク炉内でオーステナイト系ステンレス溶湯上に発泡したスラグを生
成するための方法に関する。本発明の方法においては、金属酸化物と炭素との混合物が炉
に導入され、スラグの下方で、金属酸化物とスラグとの間の界面の位置において、金属酸
化物が炭素によって還元され、発生したガスの泡形成によってスラグ発泡を生じさせる。
【背景技術】
【０００２】
電気アーク炉の操業時において、導入材料、まず第一に、屑鉄（schrott）と合金は、
電気アーク炉の容器内の上側から下向きに突出する電極のアークによって融解される。
【０００３】
この融解時において、泡状態になったスラグは、望ましくない諸成分を溶湯から除去す
る一次機能に加えて、保護機能も果たす。
【０００４】
つまり、泡状態のスラグは、電極の末端と金属表面との間の空間を包むことによって、
炉の耐火用ライニングを電極アークの放射エネルギーから保護する。発泡状態のスラグは
、伝熱性が低いので、電気炉の壁に向かうアーク電極からの放射エネルギーが著しく低減
され、これにより、金属溶湯へのエネルギー導入を改善することができる。
【０００５】
非ステンレス鋼又はクロム含有量の少ない鋼の場合、炭素と酸素とを同時に吹き込むこ
とによって発泡状態のスラグを得ることができる。
【０００６】
クロム含有量が高い溶湯の場合、吹き込まれた炭素は、基本的にクロム酸化物の還元元
素として反応する。スラグの鉄酸化物含有量はきわめて小さいので、希望する程度の発泡
を得ることはできない。
【０００７】
このことは、特許文献１によれば、スズ酸化物又は鉛酸化物のいずれかの金属酸化物と
炭素とで構成される粉末をスラグに導入することによって改善される。粉末中に含有され
た酸化物は、炭素との反応によって還元され、発生した一酸化炭素によって発泡のための
泡が形成される。しかしながら、粉末の表面積が大きいため、きわめて激しい局所的に限
定された反応が生じる。
【０００８】
特許文献２によって、粉末の代わりに例えばペレット（Pellet）またはブリケット（Br
ikett）等の成形品を導入し、これにより、制御され均一でゆっくりと経過する反応が生
じることが知られている。
【０００９】
しかしながら、固体材料の融解中にクロム酸化物濃度１０％超のスラグが生成されると
きには常にいくつかの問題が生じる。このようなスラグは、その組成のゆえに、希望する
程度まで液化して発泡させることができなかった。
【先行技術文献】
【特許文献】
【００１０】
【特許文献１】欧州特許第０８２９５４５号明細書
【特許文献２】独国特許発明第１０３２３５０５号明細書
【発明の概要】
【発明が解決しようとする課題】
【００１１】
本発明の目的は、クロム酸化物の割合がこのように高い場合でもスラグの発泡を生じさ
せるための方法を提供することである。
【課題を解決するための手段】
【００１２】
この目的は、本発明によって解決され、本発明においては、ブリケットまたはペレット
等の成形品の態様で添加される導入すべき混合物が、ニッケル酸化物に加えて、鉄酸化物
、鉄担体（eisentragern）、炭素、及び所要の結合剤（bindemittel）を含有している。
【００１３】
材料の密度（spezifische Dichte）と溶解時間は、大きさおよび時間に関して最適な泡
形成が達成されるように選択されている。密度は好ましくは約６．７ｔ／ｍ３である。
【００１４】
高活性状態の混合物に含有されたニッケル酸化物分によって、炭素との激しい反応が引
き起こされる。しかしながら、この反応は、賦形材によって、つまりペレットまたはブリ
ケットによって、制御下に進行し、しかも、この反応は、局所的に限定されることはなく
、スラグ下方での成形品の浮動によって金属とスラグとの間の界面に均一に分布すること
になる。
【手続補正書】
【提出日】平成26年1月16日(2014.1.16)
【手続補正１】
【補正対象書類名】特許請求の範囲
【補正対象項目名】全文
【補正方法】変更
【補正の内容】
【特許請求の範囲】
【請求項１】
電気アーク炉内でオーステナイト系ステンレス溶湯上に発泡したスラグを生成するための方法であって、金属酸化物と炭素との混合物が前記電気アーク炉に導入され、前記スラグの下方で、前記金属酸化物と前記スラグとの間の界面の位置において、前記金属酸化物が前記炭素によって還元され、発生したガスの泡形成によってスラグ発泡を生じさせる方法において、
ブリケットまたはペレット等の成形品の態様で添加される導入すべき前記混合物が、ニッケル酸化物に加えて、鉄酸化物、鉄担体、炭素、及び所要の結合剤を含有していることを特徴とする方法。